(57)【要約】      （修正有）【課題】店内や室内に簡単に設置できる垂直型水耕栽培装置を提供する。【解決手段】枠体２に垂直流路形成対向パネル３が保持されている。この垂直流路形成対向パネルは、互いに所定の間隔を存して平行に対向する一対の板と、板の両側を遮蔽する遮蔽部３ｃとで構成され、一対の板間に床面に対して水平方向に所定の幅を有し床面に対して垂直な方向に延びる養液流路が形成されている。垂直流路形成対向パネルには植物用保持材を挿入するための保持穴９が複数設けられている。枠体は、植物用の養液を入れるための養液タンク６と、養液を養液流路に供給するスプレーバーと、スプレーバーと養液タンクの出口とを連結する中空連結材と、垂直流路形成対向パネルから排出される養液をタンクに導く受け樋と、循環ポンプ７と、循環ポンプを制御するためのコントローラ８とを備え、ポンプの駆動によって養液タンク内の養液が養液流路を上下に循環する。【選択図】図１
0003206285.tif 000002
【実用新案登録請求の範囲】
【請求項１】
枠体（２）と、枠体（２）に保持された垂直流路形成対向パネル（３）と、植物用の養液を入れるための養液タンク（６）と、前記垂直流路形成対向パネル（３）の上方に配置されスプレー孔を有するスプレーバー（１２）と、該スプレーバー（１２）と前記養液タンク（６）の出口とを連結する中空連結材（１４）と、前記垂直流路形成対向パネル（３）の下部から排出される養液を前記タンク（６）に導く養液受け手段と、前記中空連結材（１４）に前記養液タンク（６）内の養液を供給する循環ポンプ（７）とを備え、前記垂直流路形成対向パネル（３）を、互いに所定の間隔を存して平行に対向する一対の板と、該板の両側を遮蔽する遮蔽部（３C）とで構成し、前記一対の板間に床面に対して水平方向に所定の幅を有し床面に対して垂直な方向に延びる養液流路（１０）を形成し、前記一対の板の中の少なくとも一方の板に植物用保持材（１１）を挿入するための前記養液流路（１０）に連通する保持穴（９）を複数設け、前記ポンプ（７）の駆動によって前記養液タンク（６）内の養液が前記中空連結材（１４）を経て前記スプレーバー（１２）に供給され、養液が前記養液流路（１０）を循環するようにしたことを特徴とする垂直型水耕栽培装置。
【請求項２】
前記流路形成対向パネル（３）の一対の板を、互いに所定の間隔を存して平行に対向する波板（３ａ）（３ｂ）で構成し、前記波板（３ａ）（３ｂ）に段部（D）を形成し、該段部（D）に植物用保持材（１１）を挿入するための前記養液流路（１０）に連結する保持穴（９）を設け、前記ポンプ（７）の駆動によって、前記養液タンク（６）内の養液が前記養液流路（１０）を循環するようにしたことを特徴とする請求項１に記載の垂直型水耕栽培装置。
【請求項３】
前記枠体（２）に植物育成用のLED植物育成灯（４）を配備したことを特徴とする請求項１に記載の垂直型水耕栽培装置。
【請求項４】
前記枠体（２）に、前記循環ポンプ（７）を制御するためのコントローラ（８）を取り付け、該コントローラ（８）の制御により前記循環ポンプ（７）を間欠的に動作させることができるようにしたことを特徴とする請求項１に記載の垂直型水耕栽培装置。
【考案の詳細な説明】
【技術分野】
【０００１】
本考案は、養液を上部から垂直に下部に流し、この養液の流れを循環させて植物を栽培するようにした垂直型水耕栽培装置に関する。
【背景技術】
【０００２】
人工光源・空調・追肥等をコントロールする機能を有してなる可搬コンテナ式農作物栽培装置が従来知られている（例えば特許文献１参照）。
【先行技術文献】
【特許文献】
【０００３】
【特許文献１】実用新案登録第３１８９８８６号公報
【考案の概要】
【考案が解決しようとする課題】
【０００４】
コンテナ内に人工光源・空調・追肥等の設備を設けた農作物栽培装置は、装置が大型となり、広い設置面積が必要となる。そのため店内や一般の住居の狭いスペースに簡単に設置することができない。
本考案は、店内や一般の住居の室内で簡単に農作物の水耕栽培を行うことができる水耕栽培装置を提供することを目的とする。
【課題を解決するための手段】
【０００５】
上記目的を達成するため、本考案は、枠体と、枠体に保持された垂直流路形成対向パネルと、植物用の養液を入れるための養液タンクと、前記垂直流路形成対向パネルの上方に配置されスプレー孔を有するスプレーバーと、該スプレーバーと前記養液タンクの出口とを連結する中空連結材と、前記垂直流路形成対向パネルを通過した養液を前記タンクに導く養液受け手段と、前記中空連結材に前記養液タンク内の養液を供給する循環ポンプとを備え、前記垂直流路形成対向パネルを、互いに所定の間隔を存して平行に対向する一対の板と、該板の両側を遮蔽する遮蔽部とで構成し、前記一対の板間に床面に対して水平方向に所定の幅を有し床面に対して垂直な方向に延びる養液流路を形成し、前記一対の板の中の少なくとも一方の板に植物用保持材を挿入するための前記養液流路に連通する保持穴を複数設け、前記ポンプの駆動によって前記養液タンク内の養液が前記養液流路を上下に循環するようにしたことを特徴とする。
また本考案は、前記流路形成対向パネルの一対の板を、互いに所定の間隔を存して平行に対向する波板で構成し、前記波板に段部を形成し、該段部に植物用保持材を挿入するための前記養液流路に連通する保持穴を設け、前記ポンプの駆動によって、前記養液タンク内の養液が前記養液流路を循環するようにしたことを特徴とする。
また本考案は、前記枠体に植物育成用のLED植物育成灯を配備したことを特徴とする。
また本考案は、前記循環ポンプを間欠的に動作させることができるようにしたことを特徴とするものである。
【考案の効果】
【０００６】
本考案は、枠体を店内や室内に配置することができ、店内や室内で簡単に水耕栽培を行うことができる。
【図面の簡単な説明】
【０００７】
【図１】本考案に係る栽培装置の全体外観説明図である。
【図２】本考案の一部の外観説明図である。
【図３】本考案の一部の説明図である。
【図４】本考案の一部の説明図である。
【考案を実施するための形態】
【０００８】
以下に本考案の構成を添付した図面を参照して詳細に説明する。
図１は、本考案に係る垂直型水耕栽培装置の全体説明図である。栽培装置１は可搬式の枠体２の両側板間に、垂直流路形成対向パネル３とLED植物育成灯４が保持されている。枠体２の底部には、養液５の入った養液タンク６、循環ポンプ７、ポンプ７やＬＥＤ植物育成灯４等を制御するためのコントローラ８が配置されている。
【０００９】
対向パネル３は、一対の互いに平行に所定の間隔を存して対向するＡＢＳ樹脂製の波板３ａ,３ｂと、該波板３ａ,３ｂ間に床面に対して水平な方向に所定の幅を有し、且つ垂直方向に延びる養液流路１０が形成されている。一対の波板３ａ,３ｂと両側の遮蔽部３CはＡＢＳ樹脂材を一体的に成型して構成されている。
【００１０】
本実施形態では、対向パネル３は、ＡＢＳ樹脂を用いているが、特に材料は合成樹脂に限定されるものではなく、金属その他適宜な材料を用いることができる。一対の波板３ａ,３ｂには、複数の傾斜部Kと、上下の傾斜部K,K間に段部Dが形成されている。各段部Dは、床面に対して所定角度傾斜した植物配置エリアを構成している。
【００１１】
各植物配置エリアには、横方向に所定の間隔を存して、複数の保持穴９が設けられ、各保持穴９に植物苗或いは種を埋めたスポンジなどの保持材１１を挿入することができるように構成されている。枠体２の上部には、ノズル穴付きパイプから成るスプレーバー１２が配置され、該スプレーバー１２のノズル穴が養液流路１０の上端開口部に対向している。
【００１２】
流路１０の下部側には、受け樋１３が配置され、該受け樋３の中央部に形成された排出孔１３ａが、管体を介して養液タンク６に連通している。養液タンク６とスプレーバー１２とは、パイプから成る中空連結材１４を介して連結し、該中空連結材１４の流通経路にポンプ７が接続している。中空連結材１４は、パイプやチューブその他適宜の中空連結具を用いることができる。
【００１３】
ポンプ７の駆動部及びＬＥＤ植物育成灯４の電子回路部はコントローラ８に電気的に接続され、ポンプ７及びＬＥＤ植物育成灯４はコントローラ８によって駆動を制御することができるように構成されている。垂直流路形成対向パネル３は、全体を一体的に加工して形成しても良く、あるいは、各部を成型し、これらを接合して構成するようにしても良い。枠体２は、店内や住居の室内の床面上、あるいは倉庫などの建物の床面上に配置される。
【００１４】
上記した構成において、スポンジなどの保持材１１により保持した植物苗或いは種を、対向パネル３の植物配置エリアの保持穴９に保持材１１とともに挿入する。一方、循環ポンプ７を駆動し、養液タンク６内の養液５をパイプ１４を通じてスプレーバー１２に供給し、スプレーバー１２から養液５を流路１０の上部に噴射する。流路１０の上部に噴射された養液５は、流路１０内を下に流れて受け樋１３に落下し、養液タンク６内に戻る。受け樋１３は流路１０内を通過した養液をタンク６に導く養液受け手段を構成している。
【００１５】
このようにして、養液タンク６内の養液５は、流路１０内を上から下に中空連結材１４を通って循環する。植物育成灯４は、保持材１１を照射し、植物を育成する。養液循環ポンプ７は、連続的に動作しても良いが、間欠的に動作させれば電力エネルギーを節約することができる。また、ポンプ７を間欠的に動作させることで、植物１５の根１６を空気と接触させ、植物１５の生長を高めることができる。
【００１６】
本実施形態では、段部Dを対向パネル３の前方に突出させ、枠体２の前面側で植物を育成しているが、段部Dを後方にも突出させることで、枠体２の両面側で植物を育成する構造としても良い。
【符号の説明】
【００１７】
１      栽培装置
２      枠体
３      垂直流路形成対向パネル
３ａ    波板
３ｂ    波板
３ｃ    遮蔽部
４      LED植物育成灯
５      養液
６      養液タンク
７      循環ポンプ
８      コントローラ
９      保持穴
１０    養液流通路
１１    保持素材
１２    スプレーバー
１３    受け樋
１３ａ  排出孔
１４    中空連結材
１５    植物
１６    根
【図１】
0003206285.tif 000003
【図２】
0003206285.tif 000004
【図３】
0003206285.tif 000005
【図４】
0003206285.tif 000006